(57)【要約】【課題】  長時間の使用における耐久性が向上し、かつ所望の反発特性を得ることができるゴルフクラブヘッドを提供する。【解決手段】外殻構造のヘッド部を備えたゴルフクラブヘッドにおいて、ヘッド部のフェース部、クラウン部、ソール部のうち、フェース部が２類以上の異素材からなる。【選択図】図１
2008067813.tif 000002
【特許請求の範囲】
【請求項１】
外殻構造のヘッド部（１）を備えたゴルフクラブであって、前記ヘッド部（１）のフェース部（２）、クラウン部（３）、ソール部（４）の内、フェース部（２）が２種類以上の異素材からなる事を特徴としたゴルフクラブ。
【請求項２】
前記フェース部（２）が２種類以上の異素材からなり、該フェース部の中心部分のみが異素材から構成されている事を特徴とする、請求項１記載のゴルフクラブ。
【請求項３】
前記フェース部（２）の裏面のみが表面とは異なる素材で構成されている事を特徴とする、請求項１、または請求項２に記載のゴルフクラブ。
【請求項４】
前記フェース部（２）の裏面のみが表面とは異なる素材で構成されており、且つフェース中心部分のみが他の部分とは異なる素材で構成されており、フェース中心部分とその他の部分の剛性に差を持たせた事を特徴とする、請求項１または請求項２または請求項３に記載のゴルフクラブ。
【請求項５】
前記フェース部（２）の裏面のみが表面とは異なる素材で構成されており、且つフェース中心部分のみが他の部分とは異なる素材で構成されており、フェース中心部の大きさが、直径５ｍｍ以上、３０ｍｍ以下であり、深さが０．５ｍｍ以上、３．０ｍｍ以下である事を特徴とする請求項４に記載のゴルフクラブ。
【請求項６】
前記フェース部（２）裏面のみが表面とは異なる素材で構成されており、フェース中心部分のみが他の部分とは異なる素材で構成されており、その異なる素材はフェース周辺部の素材よりも剛性が低い事を特徴とする請求項５に記載のゴルフクラブ。
【請求項７】
前記フェース部（２）裏面のみが表面とは異なる素材で構成されており、フェース中心部分のみが他の部分とは異なる素材で構成されており、その異なる素材はフェース周辺部の素材よりも剛性が高い事を特徴とする請求項５に記載のゴルフクラブ。
【請求項８】
前記構成がクラウン部（３）、ソール部（４）にも配置された事を特徴とする請求項６または７に記載のゴルフクラブ。
【発明の詳細な説明】
【技術分野】
【０００１】
本発明は、ヘッド部の内部が空洞もしくはヘッド部の内部に発泡体が充填され、外殻がチタニウム、チタニウム合金、ステンレス等の金属材料からなる金属製外殻構造のヘッド部を備えたゴルフクラブに関するものである。
【背景技術】
【０００２】
ゴルフクラブのヘッド部は、ゴルフボールとの衝突において、耐久性と反発特性の両立を達成する為、従来からフェース部の裏面にリブを設けたり、部分的に肉厚を変えたり、異種材料を積層させる工夫が施されている。また、フェースの中心部分表面に軽量部材を嵌め合わせる事が公知となっている。
【０００３】
特開平１０−１３７３７２号公報には、フェース裏面に複数の厚さを与えるように隆起させたヘッドであって、ボールの衝撃荷重が作用したときにフェースにほぼ均一な応力が作用し、初期及び長期間の故障に対して抵抗力があり、さらに人間の可聴範囲内で振動して純粋で清潔な音響音を発するように設計する事が可能であると記載されている。
【０００４】
特許第３４１５９８０号公報には、中空部を有するゴルフクラブヘッドであって、フェース裏面にリブが形成され、そのリブはフェースラインに対して角度θだけ傾斜して配置され、そのことにより、フェースの剛性分布及びスイートエリアは傾斜した楕円状となる。これは一般ゴルファーの打点分布に相当し、従来のゴルフクラブに比べて、スイートスポットに近い部分で打撃する事になり、フック回転及びスライス回転が起こり難くなり、耐久性だけでなく打球の方向性のバラツキを改善できる事が記載されている。
【０００５】
特開平１１−２９９９３９号公報には、複数の板材が積層され、それらの周辺部の一部で相互に結合された積層構造の部分がスイートエリアを含む領域に配置されたフェース部材を備えたゴルフクラブヘッドであって、板材の夫々の厚さが打球面に近い板材程度に薄肉に設定されているので、打球時のボールの衝突に基づく曲げ撓みと積層板材間でのずれ変位とから構成される変形が積層構造の部分に起こり、フェース面の変形量が増加して、打球の初速を高めて飛距離の増大が図れることが記載されている。
【０００６】
実開平６−７７７６４号公報には、フェース面に異種材料の軽量な金属部材を圧入、嵌合して取り付ける事が可能で、打球の方向性を改善する効果や、様々な打球感や打球音を作り出す効果がもたらされることが記載されている。
【特許文献１】特開平１０−１３７３７２号公報
【特許文献２】特許第３４１５９８０号公報
【特許文献３】特開平１１−２９９９３９号公報
【特許文献４】実開平６−７７７６４号公報
【発明の開示】
【発明が解決しようとする課題】
【０００７】
上記の特開平１０−１３７３７２記載の発明では、応力の分布を均一にして耐久性を高める事は可能であっても、反発特性が向上するとは考えにくい。また肉厚分布は常に複雑であり、安定した製品が製造できないといった問題点を有していた。
【０００８】
また、特許第３４１５９８０号公報記載の発明では、複数のリブを設けることでフェース部材の撓み易さを矯正しているため、フェース部材とリブの境界領域において応力集中が生じ、早期に割れが生じるという問題点を有していた。
【０００９】
さらに、特開平１１−２９９９３９記載の発明では、積層板材はフェース中央部で溶接されており、さらに板材間に微小な隙間を設けていることから、著しく耐久性に劣るという問題点を有していた。
【００１０】
さらに、実開平６−７７７６４記載の発明では、軽量金属部材をフェース表面に圧入によって嵌め合わせた構造であり、フェース自身の耐久性や嵌め合わせ部の耐久性に劣るという問題点を有していた。
【００１１】
そこで、本発明の目的は、前記外殻構造のヘッド部を備えたゴルフクラブであって、前記ヘッド部のフェース部が２種類以上の異素材から構成された事を特徴とするゴルフクラブであって、フェース裏面の中心部とフェース周辺部に剛性の差のある材料を用いる事により、ゴルフクラブに要求される耐久性や所望の反発特性を得るものである。また、上記フェース部は、異種金属同士の拡散反応において強固に接合したものであり、従来のものよりも耐久性にも優れた構造である。
【課題を解決するための手段】
【００１２】
上記目的を達成するため、本発明に係るゴルフクラブは、外殻構造のヘッド部を備え、フェース部が２種類以上の異素材から構成された事を特徴とするゴルフクラブであって、ゴルフクラブ全体に要求される様々な特性を発現し、所望の特性を得るものである。さらに、異種金属同士の拡散反応において強固に接合したものであり、従来のものよりも耐久性にも優れた材料である。
【発明の効果】
【００１３】
以上のように本発明の効果は、前記外殻構造のヘッド部を備えたゴルフクラブであって、前記ヘッド部のフェース部が２種類以上の異素材から構成された事を特徴とするゴルフクラブであって、フェース裏面の中心部とフェース周辺部に剛性の差のある材料を用いる事により、ゴルフクラブに要求される耐久性や所望の反発特性を得るものである。
【発明を実施するための最良の形態】
【００１４】
以下、図１〜図４を用いて、本発明の実施の形態について説明する。
【００１５】
まず、今回用いたフェース材の作製方法に関して、β型チタン合金とＳＵＳ６３０を例にとり、その概略を簡単に説明する。
【００１６】
厚み３．０ｍｍのβ型チタン合金の中心部にＣＮＣ加工により、直径２０ｍｍ、深さ１．５ｍｍの穴を設ける。その穴に予めコイン状に加工したＳＵＳ６３０を嵌めこみ、熱間鍛造により所望の形状に加工を施す。さらに、必要に応じて熱処理を施し、β型チタン合金とＳＵＳ６３０を拡散反応させて異種材料を複合させたフェース材を得る。（図２）
【００１７】
上記の拡散反応において、β型チタン合金とＳＵＳ６３０の層間においては金属同士の化合物が傾斜的に配置されて物理的に安定な接合部を有しており、接合強度が非常に高いことが特徴として挙げられる。
【００１８】
さらにゴルフクラブのフェースにはバルジ、ロールといった曲面を形成する為、接合部は逆テーパー形状になり、機械的な接合も同時になされる事から、拡散接合と合わせ、非常に強固な接合状態が得られる。（図３）
【００１９】
このフェース構造により、従来のフェース構造と比べて、中心部裏面にチタンよりも剛性の高いＳＵＳ６３０を用いる事で、フェース中心部分の反発係数を抑えたフェースが得られる。
【００２０】
なお、フェース中心部の素材（使用材料１）と、その周辺部の素材（使用材料２）は様々に組み合わせる事が可能であり、その組み合わせの一例を表１に示す。
【００２１】
【表１】
2008067813.tif 000003
※上記各材料は合金形態も含む
【００２２】
なお、使用材料１と使用材料２は同一素材でもよく、成分により剛性差があればよい。上記組み合わせにより、フェースの反発係数を上げたり下げたり、またはスイートエリアの大きさを可変するなど意図的にコントロールする事が可能であり、使用目的に応じたフェース部材を得る事が出来る。
【００２３】
上記、中心部に嵌め合わせる材料の大きさは直径が５ｍｍ以上、３０ｍｍ以下が望ましく、深さは０．５ｍｍ以上、３．０ｍｍ以下が望ましい。好ましくは直径が１０ｍｍ以上、２５ｍｍ以下が望ましく、深さは１．０ｍｍ以上、２．０ｍｍ以下が望ましい。
【００２４】
直径が５ｍｍ未満もしくは深さが０．５ｍｍ未満の場合、使用する材料の特性が十分発揮されず、所望の特性が得られない。また、直径が３０ｍｍより大きい場合、フェース外周部との差が得られにくく、意図的に反発係数をコントロールできなくなる。さらに深さが３．０ｍｍより大きい場合、フェースの肉厚とほぼ同等となり、鍛造が困難になる。
【００２５】
予めコイン状に加工した素材は円錐台の形状をしていてもよく、鍛造時にかしめることも可能となる。（図４）
【００２６】
また、使用材料はフェース中心のみではなく、同様な作製方法により、リング状に設けることも可能である。（図５）
【００２７】
さらに使用目的に応じて、フェース部だけでなく、クラウン部、ソール部にも適用が可能である。
【００２８】
このように本発明の実施の形態について説明を行なったが、今回開示した実施の形態は全ての点で例示であって制限的なものではないと考えられるべきである。本発明の範囲は特許請求の範囲によって示され、特許請求の範囲と均等の意味および範囲内での全ての変更が含まれる。
【図面の簡単な説明】
【００２９】
【図１】ゴルフクラブヘッドの概略図である。
【図２】フェース部作製の概略図である。
【図３】フェース部作製の概略図である。
【図４】フェース部構造の概略図である。
【図５】フェース部構造の概略図である。
【符号の説明】
【００３０】
１：ヘッド部
２：フェース部
３：クラウン部
４：ソール部
【図１】
2008067813.tif 000004
【図２】
2008067813.tif 000005
【図３】
2008067813.tif 000006
【図４】
2008067813.tif 000007
【図５】
2008067813.tif 000008